(57)【特許請求の範囲】
【請求項１】
可動コネクタをパネル壁のパネル孔に嵌入し、該可動コネクタと相手方コネクタとを相嵌合する可動コネクタの接続構造において、
前記可動コネクタのハウジング本体の外周に防水パッキンを挿着し、前記パネル孔に該防水パッキンの環状溝を嵌着し、該防水パッキンの伸縮で該可動コネクタが可動し、該防水パッキンが、該環状溝を備えたパッキン本体から嵌合方向へ延びると共に、該ハウジング本体を覆う内シール部を有し、嵌合時に該相手方コネクタの套体部に該内シール部が嵌入されることを特徴とする可動コネクタの接続構造。
【請求項２】
前記環状溝の相対向する一対の溝側壁のうち一方にシール突条を有することを特徴とする請求項１記載の可動コネクタの接続構造。
【請求項３】
前記套体部の可動コネクタ側にテーパを形成すると共に、前記内シール部の外面に嵌合方向と略直交する方向へ係合突条を設けたことを特徴とする請求項１記載の可動コネクタの接続構造。
【発明の詳細な説明】
【０００１】
【発明の属する技術分野】
本発明は、可動コネクタの接続構造に関するものである。
【０００２】
【従来の技術】
従来、図５に示すように、パネル壁６１のパネル孔６２に嵌入される可動コネクタ６３の取付け構造が提案されている（特開平９−４５４３３号公報）。
この可動コネクタ６３は、ハウジング本体６４の外面に係止腕６５を立ち上げ、係止腕６５の両側に一対の保護リブ６６を突設し、一対の保護リブ６６の両側に一対のストッパ６７，６７を設けている。係止腕６６とパネル孔６２との係合により、可動コネクタ６３をパネル孔６２に取付け、相手方コネクタ６８に嵌合する。
【０００３】
しかしながら、嵌合後でも、図６に示すように、係止腕６５が外部に露出しているから、水がかかって浸る場所、つまり水気のある場所に可動コネクタ６３と相手方コネクタ６８とを相嵌合して配置することができない欠点があった。
【０００４】
【発明が解決しようとする課題】
本発明は上記した点に鑑み、水気のある場所でも使用可能な可動コネクタの接続構造を提供することを目的とする。
【０００５】
【課題を解決するための手段】
上記目的を達成するために、本発明は、可動コネクタをパネル壁のパネル孔に嵌入し、該可動コネクタと相手方コネクタとを相嵌合する可動コネクタの接続構造において、前記可動コネクタのハウジング本体の外周に防水パッキンを挿着し、前記パネル孔に該防水パッキンの環状溝を嵌着し、該防水パッキンの伸縮で該可動コネクタが可動し、該防水パッキンが、該環状溝を備えたパッキン本体から嵌合方向へ延びると共に、該ハウジング本体を覆う内シール部を有し、嵌合時に該相手方コネクタの套体部に該内シール部が嵌入される可動コネクタの接続構造を基本とする（請求項１）。
前記環状溝の相対向する一対の溝側壁のうち一方にシール突条を有することが好ましい（請求項２）。
前記套体部の可動コネクタ側にテーパを形成すると共に、前記内シール部の外面に嵌合方向と略直交する方向へ係合突条を設けた可動コネクタの接続構造も有効である（請求項３）。
【０００６】
【発明の実施の形態】
以下、本発明の実施の形態の具体例を、図面を参照して説明する。
図１〜図４は本発明に係る可動コネクタの接続構造の一実施例を示す図である。
図１及び図２において、この可動コネクタ１の接続構造は、可動コネクタ１のハウジング本体２の外周に防水パッキン１０を設け、パネル壁３０のパネル孔３１に防水パッキン１０を嵌入し、防水パッキン１０の伸縮により可動コネクタ１を可動し、可動コネクタ１と相手方コネクタ３５とを嵌合する構造である。
可動コネクタ１は、絶縁性合成樹脂製のハウジング本体２と、ハウジング本体２内に貫通する複数の端子収容室３と、端子収容室３の内面に突設された係止ランス４と、ハウジング本体２の外面に設けられた位置決め突条５とから成る。
【０００７】
防水パッキン１０はゴム製であり、挿着孔１２を有するパッキン本体１１に環状溝１３を周設し、パッキン本体１１の挿着孔１２の近傍から嵌合方向（Ｐ方向）へ内シール部１４を延設してなる。挿着孔１２の内面には位置決め突条５に対する係合溝１５が形成されている。環状溝１３はパネル壁３０のパネル孔３１に嵌着される。また、環状溝１３の一方の溝側壁１３ａにはシール突条１６が嵌合方向（Ｐ方向）へ設けられている。内シール部１４はハウジング本体３６の外面を覆っている。そして、内シール部１４の外面には、嵌合方向（Ｐ方向）と直交する方向へ係合突条１７が周設されている。
【０００８】
相手方コネクタ３５は、補機３４に設けられたハウジング本体３６と、ハウジング本体３６内を貫通する複数の端子収容室３７と、ハウジング本体３６の可動コネクタ１側に膨出形成された套体部３８とを有する。套体部３８の可動コネクタ１側には、可動コネクタ１をスムーズに套体部３８内に導入するためにテーパ３９が形成されている。端子収容室３７の内面には端子２１を係止するための係止ランス４０が設けられ、可動コネクタ１の過度の進入を防止するためのストッパ壁４１が配置されている。
【０００９】
可動コネクタ１に挿着された防水パッキン１０がパネル孔３１に嵌着された場合、可動コネクタ１の可動量が防水パッキン１０の伸縮部１８の伸縮量に依存している。つまり、伸縮部１８の伸び縮みは、溝底壁１３ｂの径Ａと環状溝１３の一方の溝側壁１３ａの自由端の径Ｂとの間の寸法に依存している。
【００１０】
次に、可動コネクタ１に防水パッキンを１０挿着した後に、防水パッキン１０をパネル孔３１に嵌着し、可動コネクタ１と相手方コネクタ３５とを嵌合する場合を説明する。
図２に示すごとくに、端子収容室３に端子２０を挿入して可動コネクタ１を形成する。可動コネクタ１のハウジング本体２の外面に防水パッキン１０を挿着する。その際、位置決め突条５と係合溝１５とが係合される。その結果、パッキン本体１１がハウジング本体２の後半部を覆うと共に、内シール部１４がハウジング本体２の前半部を覆う。
【００１１】
可動コネクタ１をパネル孔３１に嵌入するには、可動コネクタ１を嵌合方向（Ｐ方向）へ移動する。図３のように、パネル壁３０と防水パッキン１０とが突き当たった時に、可動コネクタ１を同方向（Ｐ方向）へ更に押圧する。すると、環状溝１３の相対向する溝側壁１３ａ，１３ｃが作用・半作用でパネル壁３０に押圧され、嵌合方向（Ｐ方向）と反対方向へ撓む。環状溝１３の他方の溝側壁１３ｃがパネル壁３０を通過すると、他方の溝側壁１３ｃの撓みが復元される。パネル孔３１の周縁３１ａが環状溝１３に嵌着される。この時、環状溝１３のシール突条１６がパネル壁３０の面に当接して密着する。それにより、パネル壁３０に対する内側および外側を防水することができる。
【００１２】
図２に示すように、補機３４に相手方コネクタ３５を可動コネクタ１側へ向けて固着する。図３のように、相手方コネクタ３５を可動コネクタ１へ向けて（Ｐ方向と反対方向へ）移動し、套体部３８のテーパ３９を可動コネクタ１の先端２ａに突き当てる。相手方コネクタ３５の移動に呼応して可動コネクタ１が可動する。可動コネクタ１の可動は、防水パッキン１０がゴム製であるために伸縮性を有するからである。そのため、可動コネクタ１の極端な移動を規制することができるので、パネル孔３１からの可動コネクタ１の外れを防止することができる。
【００１３】
そして、図４の如くに、可動コネクタ１と相手方コネクタ３５とが相嵌合される。その時、套体部３８内に防水パッキン１０の内シール部１４も収容されるから、内シール部１４が可動コネクタ１のハウジング本体２の外面と、套体部３８の内面とにより挟持され、両者に密着される。これにより、可動コネクタ１と相手方コネクタ３５との嵌合部分が防水される。
また、可動コネクタ１と相手方コネクタ３５との嵌合後、両コネクタ１，３５は、相手方コネクタ３５を補機３４に突設した係止手段によって補機３４に固定される。
【００１４】
【発明の効果】
以上の如くに、請求項１によれば、防水パッキンが可動コネクタのハウジング本体の外周に挿着され、防水パッキンの環状溝がパネル壁のパネル孔に嵌着されるから、可動コネクタの可動が防水パッキンの伸縮により行われる。これにより、可動コネクタが過度に可動してパッキン孔から外れることがなくなる。
【００１５】
さらに、環状溝を備えたパッキン本体から嵌合方向へ延びると共に、ハウジング本体を覆う内シール部を防水パッキンが有するから、内シール部が嵌合時に相手方コネクタの套体部内に嵌入される。これにより、嵌合後に両コネクタを水気のある場所に配置することが可能になる。そのため、例えば、水気のある場所でも、パネル壁によって仕切られた室内と室外とを跨ぐ補機に、可動コネクタ又は相手方コネクタを設けることができる。そして、可動コネクタと相手方コネクタとを嵌合するためにワイヤハーネスのみをパネル壁に挿通していた従来と比較し、ワイヤハーネスをパネル壁に挿通するための作業を削除することができる。
【００１６】
請求項２によれば、シール突条が環状溝の相対向する一対の溝側壁のうち一方に設けられているから、防水パッキンをパネル孔に嵌入した後、シール突条がパネル壁に密着する。これにより、防水パッキンとパネル壁との間の防水性が向上される。
請求項３によれば、テーパが套体部の可動コネクタ側に形成されると共に、係合突条が内シール部の外面に嵌合方向と直交する方向へ設けられているから、可動コネクタと相手方コネクタとの嵌合時に、係合突条が套体部に進入し易くなる。これにより、可動コネクタと相手方コネクタとの嵌合作業に要する嵌合力を低減することができる。また、嵌合後に、係合突条と套体部の内面とが密着するから、内シール部と套体部との間の防水性が向上される。
【図面の簡単な説明】
【図１】本発明に係る可動コネクタの接続構造の一実施例を示す全体斜視図である。
【図２】図１のＸ−Ｘ線の断面図である。
【図３】図２の防水パッキンをパネル孔に嵌着した状態を示す断面図である。
【図４】図３の可動コネクタに相手方コネクタを嵌合した状態を示す断面図である。
【図５】従来の可動コネクタを示す斜視図である。
【図６】図５の可動コネクタをパネル孔に嵌入した状態を示す斜視図である。
【符号の説明】
１          可動コネクタ
２          ハウジング本体
１０        防水パッキン
１３        環状溝
１４        内シール部
１６        シール突条
１７        係合突条
３０        パネル壁
３１        パネル孔
３５        相手方コネクタ
３８        套体部
３９        テーパ
【図１】
0003687717.tif 000002
【図２】
0003687717.tif 000003
【図３】
0003687717.tif 000004
【図４】
0003687717.tif 000005
【図５】
0003687717.tif 000006
【図６】
0003687717.tif 000007